(57)【要約】【課題】壁面の耐候性をより高くするために表面に金属製の板材を有する板状建材を採用した場合において、タイルのずれをより確実に防止する。【解決手段】下地材４１、４２に複数枚の金属サンドイッチパネル１０を平面状に固定して垂直な被施工面を形成し、被施工面にタイル２０を施して壁面を施工する。金属サンドイッチパネル１０は表面に金属製の第１、２板材１１、１２を有し、第１、２板材１１、１２上には、ポリエステル系塗材からなり、表面が粗面化された密着層７０が予め形成されている。被施工面に有機系接着剤としての塗り仕上げ材３０を塗布することによりタイル２０を接着する。【選択図】図４
2005213794.tif 000002
【特許請求の範囲】
【請求項１】
下地材に複数枚の板状建材を平面状に固定して垂直な被施工面を形成し、該被施工面に意匠材を施して壁面を施工する壁面の施工方法において、
前記意匠材としてタイルを採用し、
前記板状建材は表面に金属製の板材を有し、該板材上には、有機系塗材からなり、表面が粗面化された密着層が予め形成され、
前記被施工面又は該タイルの裏面に有機系接着剤を塗布することにより該タイルを該被施工面に接着することを特徴とする壁面の施工方法。
【請求項２】
前記意匠材として前記タイル及び塗り仕上げ材を採用し、
前記板状建材は、平坦な前記板材である第１板材と、各該タイルの裏面に形成された凹部内に収容され得る複数の凸部が形成された該板材である第２板材とを有し、
該第１板材には該塗り仕上げ材を塗布し、該第２板材には前記有機系接着剤により該タイルを接着する請求項１記載の壁面の施工方法。
【請求項３】
前記密着層の表面は、中心線平均粗さＲａが２μｍにおいて、最大高さＲｙが１０〜２００μｍで粗面化されている請求項１又は２記載の壁面の施工方法。
【請求項４】
前記密着層は弾性を有する請求項１乃至３のいずれか１項記載の壁面の施工方法。
【請求項５】
前記有機系塗材は、ポリエステル系塗料に無数の粒状物質を混合してなるポリエステル系塗材である請求項１乃至４のいずれか１項記載の壁面の施工方法。
【請求項６】
下地材に固定されて垂直な被施工面を形成し、該被施工面に意匠材を施して壁面を施工するための板状建材であって、
表面及び裏面の少なくとも一方には、金属製の板材上に形成されたポリエステル系塗材からなり、表面が粗面化された密着層が形成されていることを特徴とする板状建材。
【請求項７】
表面を構成する金属製の第１板材と、裏面を構成する金属製の第２板材と、該第１板材と該第２板材との間に一体に設けられた断熱材とを有している請求項６記載の板状建材。
【発明の詳細な説明】
【技術分野】
【０００１】
本発明は壁面の施工方法及び板状建材に関する。
【背景技術】
【０００２】
一般的な壁面の施工方法として、下地材としての木材からなる支柱に複数枚の板状建材を平面状に固定して垂直な被施工面を形成し、この被施工面に接着剤を介してタイルを施して壁面を施工する方法が知られている。
【０００３】
例えば、特許文献１開示の施工方法は、石綿スレート板、ケイ酸カルシウム板等の板状建材の表面からなる被施工面にアクリル等の第１接着剤を塗布し、この上にさらにポルトランドセメント、骨材及びポリマーを含む第２接着剤を塗布し、この上にタイルを貼着するものである。こうして、壁面が構成されることとなる。特に、この施工方法では、第１接着剤が不透水性も有するものであることから、壁面が優れた耐候性を呈することができる。
【０００４】
また、特許文献２開示の施工方法は、ケイ酸カルシウム板からなる板状建材の表面からなる被施工面に無機粒子を含む接着剤を塗布し、この上にタイルを貼着するものである。こうすることによっても壁面が構成されることとなる。特に、この施工方法では、無機粒子を含む接着剤がタイルの自重によるずれを防止することができる。
【０００５】
【特許文献１】特開昭６０−１１２９６０号公報
【特許文献２】特開平８−１７７２０３号公報
【発明の開示】
【発明が解決しようとする課題】
【０００６】
しかし、上記従来の施工方法は、被施工面を構成する板状建材が石綿スレート板、ケイ酸カルシウム板等、表面が吸水性のあるものである。このような板状建材を採用している場合には、接着剤が被施工面に好適に接着し、重量物であるタイルがずれる等の不具合は生じにくいのであるが、壁面の耐候性をより高くするため、表面に金属製の板材を有する板状建材を採用した場合には、接着剤が被施工面に接着し難く、そのままではタイルがずれる懸念がある。タイルと同様、それ自身で壁面を構成可能な塗り仕上げ材を被施工面に施す場合も同様である。
【０００７】
本発明は、上記従来の実情に鑑みてなされたものであって、壁面の耐候性をより高くするために表面に金属製の板材を有する板状建材を採用した場合において、タイルのずれをより確実に防止することを解決すべき課題としている。
【課題を解決するための手段】
【０００８】
本発明の壁面の施工方法は、下地材に複数枚の板状建材を平面状に固定して垂直な被施工面を形成し、該被施工面に意匠材を施して壁面を施工する壁面の施工方法において、
前記意匠材としてタイルを採用し、
前記板状建材は表面に金属製の板材を有し、該板材上には、有機系塗材からなり、表面が粗面化された密着層が予め形成され、
前記被施工面又は該タイルの裏面に有機系接着剤を塗布することにより該タイルを該被施工面に接着することを特徴とする。
【０００９】
本発明の施工方法では、壁面の耐候性をより高くするため、表面に金属製の板材を有する板状建材を採用している。この板状建材は板材上に有機系塗材からなる密着層が予め形成されたものである。このため、密着層は、被施工面に現場で塗布する接着剤よりも、強固に板材上に接着している。また、この密着層の表面は粗面化されている。そして、被施工面又はタイルの裏面に有機系接着剤を塗布することにより、タイルを被施工面に接着する。この際、粗面によって密着層と有機系接着剤とが大きな面積で接触し、かつ密着層と有機系接着剤とがともに有機系であることから強固に結合される。こうして、タイルはずれることなく、強固に被施工面に施されることとなる。
【００１０】
したがって、本発明の施工方法によれば、壁面の耐候性をより高くするために表面に金属製の板材を有する板状建材を採用した場合において、タイルのずれをより確実に防止することができる。
【００１１】
板状建材が金属製の一枚の板材からなるものである場合には、この板状建材を弾性変形させながら壁面を施工することもできる。この場合、板状建材の密着層は、有機系塗材からなるため、板状建材の変形に十分に追従する。
【００１２】
意匠材としてタイル及び塗り仕上げ材を採用する場合、以下の板状建材を採用することができる。その板状建材は、平坦な板材である第１板材と、各タイルの裏面に形成された凹部内に収容され得る複数の凸部が形成された板材である第２板材とを有するものである。そして、第１板材には塗り仕上げ材を塗布し、第２板材には有機系接着剤によりタイルを接着する。この場合、板状建材の表面側又は裏面側が外面側になるように下地材に固定することにより、一つの壁面をタイルを施す領域と塗り仕上げ材を施す領域とに分けて構成し、優れた意匠の壁面を構成することができる。タイルは板状建材における第２板材の凸部によってより確実に支持される。タイルを接着する有機系接着剤が塗り仕上げ材と同一のものであれば優れた作業性を発揮する。
【００１３】
密着層の表面は、中心線平均粗さＲａが２μｍにおいて、最大高さＲｙが１０〜２００μｍに粗面化されていることが好ましい。最大高さＲｙが１０μｍ未満に粗面化された密着層の表面では、粗面が細かすぎ、密着層と有機系接着剤との結合強度の向上が十分でない。他方、最大高さＲｙが２００μｍを超えて粗面化された密着層の表面では、粗面が大まかすぎ、壁面の意匠性に悪影響を与えてしまう。発明者らの試験結果によれば、密着層の表面は、中心線平均粗さＲａが２μｍにおいて、最大高さＲｙが１３〜１５μｍで粗面化されていることがより好ましい。
【００１４】
密着層は弾性を有することが好ましい。この場合、タイルを弾性支持することができるとともに、熱膨張・収縮を吸収することができるため、壁面の耐久性を向上させることができる。
【００１５】
有機系塗材としては、ポリエステル系塗料に無数の粒状物質を混合してなるポリエステル系塗材を採用することができる。ポリエステル系塗料は非撥水性であり、変性シリコン系、ウレタン等、通常の有機系接着剤に対して好適な接着力を発揮することができる。また、ポリエステル系塗料に用いられる可塑剤も通常の有機系接着剤を劣化せず、タイルを長期に亘って好適に接着することができる。その他、塩化ビニール系塗材、アクリル系塗材等を有機系塗材として採用することもできる。
【００１６】
粒状物質としては、珪砂、アルミナ粉末、炭酸カルシウム粉末、水酸化アルミニウム粉末、酸化チタン等の無機粉末の他、有機系塗材の可塑剤によって劣化しないポリエステル等の樹脂ペレット等を採用することができる。ポリエステル系塗材は、ポリエステル系塗料１００質量部に粒状物質を３０質量部以下の割合で混合したものであることが好ましい。密着層の粒状物質はその上に設けられる有機系接着剤を繋ぎとめるアンカーとしても機能する。
【００１７】
本発明の板状建材は、下地材に固定されて垂直な被施工面を形成し、該被施工面に意匠材を施して壁面を施工するための板状建材であって、
表面及び裏面の少なくとも一方には、金属製の板材上に形成されたポリエステル系塗材からなり、表面が粗面化された密着層が形成されていることを特徴とする。
【００１８】
本発明の板状建材を用いれば、本発明の施工方法を容易に実現することができる。
【００１９】
本発明の板状建材としては、表面を構成する金属製の第１板材と、裏面を構成する金属製の第２板材と、第１板材と第２板材との間に一体に設けられた断熱材とを有するものを採用することができる。この板状建材を用いれば、外断熱が可能な壁面を容易に施工することができる。
【発明を実施するための最良の形態】
【００２０】
以下、本発明を具体化した実施例１、２を図面を参照しつつ説明する。
【実施例１】
【００２１】
まず、図１に示す板状建材としての金属サンドイッチパネル１０を用意する。この金属サンドイッチパネル１０は、表面を構成する金属製の第１板材１１と、裏面を構成する金属製の第２板材１２と、第１板材１１と第２板材１２との間に一体に設けられた発泡ポリウレタンフォームからなる断熱材１３とを有している。
【００２２】
第１、２板材１１、１２上には、図２に示すように、ポリエステル系塗料７１の１００質量部に無数の珪砂７２を３０質量部の割合で混合してなるポリエステル系塗材からなる密着層７０が予め形成されている。密着層７０の表面は、中心線平均粗さＲａが２μｍにおいて、最大高さＲｙが１３〜１５μｍで粗面化されている。この密着層７０は弾性を有している。
【００２３】
また、図１及び図３に示すように、第２板材１２には、高さｔが１．５ｍｍ以下であることにより、各タイル２０の裏面に形成された凹部２０ａ内に収容され得る同一高さで突出する複数の凸部１２ａが形成されている。各凸部１２ａは、図４に示すように、水平方向に延びている。
【００２４】
図３に示すように、金属サンドイッチパネル１０の上端には挿入部１０ａが形成され、その下端には挿入部１０ａに挿入され得る被挿入部１０ｂが形成されている。挿入部１０ａは、第１、２板材１１、１２の上端が断熱材１３側に直角に屈曲された後で上方に延び、さらに折り返されて下方に屈曲されたものである。挿入部１０ａの先端面にはゴムパッキン１０ｃが設けられている。被挿入部１０ｂは、第１、２板材１１、１２の下端が断熱材１３側に折り返されて上方に屈曲され、さらに直角に屈曲された後で上方に屈曲されたものである。被挿入部１０ｂの内面上端にもゴムパッキン１０ｄが設けられている。
【００２５】
この金属サンドイッチパネル１０を用いてタイル２０及び塗り仕上げ材３０からなる壁面を施工する場合、まず、図４に示すように、下地材としての木材からなる支柱４１、４２に透湿防水シート４３を介して図示しないビスにより複数枚の金属サンドイッチパネル１０を平面状に固定し、金属サンドイッチパネル１０の表面からなる垂直な被施工面を形成する。この際、図３にも示すように、下段から上段へと金属サンドイッチパネル１０を順次積み上げ、下段の金属サンドイッチパネル１０の挿入部１０ａが上段の金属サンドイッチパネル１０の被挿入部１０ｂに挿入するようにする。また、被施工面の下方では第１板材１１が表面側になるようにし、被施工面の上方では第２板材１２が表面側になるようにする。
【００２６】
そして、図４に示すように、被施工面のうちの第２板材１２において、各凸部１２ａの下側に有機系接着剤としての塗り仕上げ材３０を塗布する。この塗り仕上げ材３０は主成分がアクリルエマルジョン系、変性シリコーン系、エポキシ系又はウレタン系であり、この主成分が接着成分となっている。
【００２７】
この後、第２板材１２にタイル２０を施工する。この際、各凸部１２ａは水平方向に延びているため、各凸部１２ａがガイドとなってタイル２０の水平出しが不要であり、施工がより簡易になっている。これにより、各凸部１２ａは各タイル２０の裏面に形成された凹部２０ａ内に収容される。
【００２８】
また、被施工面のうちの第１板材１１においては、全面に塗り仕上げ材３０を塗布する。
【００２９】
こうして、一つの壁面をタイル２０を施す領域と塗り仕上げ材３０を施す領域とに分けて構成し、優れた意匠の壁面を構成することができる。タイル２０は金属サンドイッチパネル１０における第２板材１２の凸部１２ａによってより確実に支持される。
【００３０】
この際、金属サンドイッチパネル１０は、図２に示すように、第１、２板材１１、１２上にポリエステル系塗材からなる密着層７０が予め形成されたものであるため、密着層７０は、被施工面に現場で塗布する接着剤よりも、強固に第１、２板材１１、１２上に接着している。また、この密着層７０の表面は粗面化されており、粗面によって密着層７０と塗り仕上げ材３０とが大きな面積で接触し、かつ密着層７０と塗り仕上げ材３０とがともに有機系であることから強固に結合される。密着層７０の粒状物質７２はその上に設けられる塗り仕上げ材３０を繋ぎとめるアンカーとしても機能する。こうして、タイル２０はずれることなく、強固に被施工面に施されることとなる。
【００３１】
したがって、この施工方法によれば、壁面の耐候性をより高くするために金属サンドイッチパネル１０を採用した場合において、タイル２０のずれをより確実に防止することができる。
【００３２】
特に、この施工方法によれば、塗り仕上げ材３０が有機系接着剤としてタイル２０を接着するため、優れた作業性を発揮する。また、密着層７０のポリエステル系塗料が非撥水性であり、通常の有機系接着剤に対して好適な接着力を発揮することができる。また、ポリエステル系塗料に用いられる可塑剤も通常の有機系接着剤を劣化せず、タイル２０を長期に亘って好適に接着することができる。さらに、密着層７０が弾性を有するため、タイル２０を弾性支持することができるとともに、熱膨張・収縮を吸収することができるため、壁面の耐久性を向上させることができる。また、断熱材１３を有する金属サンドイッチパネル１０を用いていることから、得られた壁面が優れた外断熱効果を発揮することができる。
【実施例２】
【００３３】
実施例２では、図５に示すように、板状建材が一枚の板材６０からなる。この板材６０は、図６に示すように、金属製の基板１４と、この基板１４の表面に形成された実施例１と同様の密着層７０とからなる。
【００３４】
この場合、図５に示すように、この板材６０を下地材としての木材からなる支柱４４に弾性変形させながら固定し、板材６０の表面からなる垂直な被施工面を形成する。この際、密着層７０は、ポリエステル系塗材からなるため、基板１４の変形に十分に追従する。なお、図６に示すように、板材６０の裏面にはグラスウール等の断熱材４５を介して内装材４６を設ける。
【００３５】
そして、被施工面全体に塗り仕上げ材３０を塗布し、タイル２０を施工する。こうして壁面を施工することもできる。この場合も実施例１と同様の作用効果を奏することができる。
【産業上の利用可能性】
【００３６】
本発明は外壁の施工方法に利用可能である。
【図面の簡単な説明】
【００３７】
【図１】実施例１に係り、板状建材である金属サンドイッチパネルの部分断面図である。
【図２】実施例１に係り、板状建材である金属サンドイッチパネルの拡大断面図である。
【図３】実施例１に係り、壁面の断面図である。
【図４】実施例１に係り、壁面の一部破断斜視図である。
【図５】実施例２に係り、壁面の一部破断斜視図である。
【図６】実施例２に係り、壁面の断面図である。
【符号の説明】
【００３８】
４１、４２、４４…下地材
１０、６０…板状建材（１０…金属サンドイッチパネル、６０…板材）
２０、３０…意匠材（２０…タイル、３０…塗り仕上げ材）
７０…密着層
３０…有機系接着剤、塗り仕上げ材
２０ａ…凹部
１１ａ…凸部
７１…塗料
７２…粒状物質
１１…第１板材
１２…第２板材
１３…断熱材
【図１】
2005213794.tif 000003
【図２】
2005213794.tif 000004
【図３】
2005213794.tif 000005
【図４】
2005213794.tif 000006
【図５】
2005213794.tif 000007
【図６】
2005213794.tif 000008
【手続補正書】
【提出日】平成17年1月18日(2005.1.18)
【手続補正１】
【補正対象書類名】特許請求の範囲
【補正対象項目名】全文
【補正方法】変更
【補正の内容】
【特許請求の範囲】
【請求項１】
下地材に複数枚の板状建材を平面状に固定して垂直な被施工面を形成し、該被施工面に意匠材を施して壁面を施工する壁面の施工方法において、
前記意匠材としてタイルを採用し、
前記板状建材は表面に金属製の板材を有し、該板材上には、有機系塗材からなり、表面が粗面化された密着層が予め形成され、
前記被施工面又は該タイルの裏面に有機系接着剤を塗布することにより該タイルを該被施工面に接着することを特徴とする壁面の施工方法。
【請求項２】
前記意匠材として前記タイル及び塗り仕上げ材を採用し、
前記板状建材は、平坦な前記板材である第１板材と、各該タイルの裏面に形成された凹部内に収容され得る複数の凸部が形成された該板材である第２板材とを有し、
該第１板材には該塗り仕上げ材を塗布し、該第２板材には前記有機系接着剤により該タイルを接着する請求項１記載の壁面の施工方法。
【請求項３】
前記密着層の表面は、中心線平均粗さＲａが２μｍにおいて、最大高さＲｙが１０〜２００μｍで粗面化されている請求項１又は２記載の壁面の施工方法。
【請求項４】
前記密着層は弾性を有する請求項１乃至３のいずれか１項記載の壁面の施工方法。
【請求項５】
前記密着層は、粒状物質が混合されたものである請求項１乃至４のいずれか１項記載の壁面の施工方法。
【請求項６】
前記有機系塗材は、ポリエステル系塗料に無数の粒状物質を混合してなるポリエステル系塗材である請求項１乃至５のいずれか１項記載の壁面の施工方法。
【請求項７】
下地材に固定されて垂直な被施工面を形成し、該被施工面に意匠材を施して壁面を施工するための板状建材であって、
表面及び裏面の少なくとも一方には、金属製の板材上に形成されたポリエステル系塗材からなり、表面が粗面化された密着層が形成されていることを特徴とする板状建材。
【請求項８】
表面を構成する金属製の第１板材と、裏面を構成する金属製の第２板材と、該第１板材と該第２板材との間に一体に設けられた断熱材とを有している請求項７記載の板状建材。
【請求項９】
前記密着層は、粒状物質が混合されたものである請求項７又は８記載の板状建材。